(57)【要約】【課題】施工現場で少ない工数で面戸を固定できる面戸付笠木を提供する。【解決手段】下方に開口し上方に突出する凸部２１と上方に開口し下方に凹む凹部２２とが軒に沿う方向に交互に形成された凹凸屋根材２と、夫々の凹部２２に嵌合し、凹凸屋根材２の軒側から棟側端部への雨水の浸入を抑制する面戸１１と、凹部２２と凸部２１の並設方向を長手方向とし、複数配設される面戸１１を連結し凸部２１上に載置される連結部１３と、凹部２２と凸部２１の並設方向を長手方向とし、連結部１３を介して凸部２１上に載置されて固定される笠木１４、とを備えてなることを特徴とする。【選択図】図１
2014198953.tif 000002
【特許請求の範囲】
【請求項１】
下方に開口し上方に突出する凸部と上方に開口し下方に凹む凹部とが軒に沿う方向に交互に形成された凹凸屋根材と、
夫々の前記凹部に嵌合し、前記凹凸屋根材の軒側から棟側端部への雨水の浸入を抑制する面戸と、
前記凹部と前記凸部の並設方向を長手方向とし、複数配設される前記面戸を連結し前記凸部上に載置される連結部と、
前記凹部と前記凸部の並設方向を長手方向とし、前記連結部を介して前記凸部上に載置されて固定される笠木、とを備えてなることを特徴とする屋根構造。
【請求項２】
請求項１記載の屋根構造に用いられる面戸付笠木であって、
複数の前記凹部に夫々嵌合する前記面戸と、
複数配設される前記面戸を連結する前記連結部と、
前記連結部に取付けられる前記笠木と、を備えてなることを特徴とする面戸付笠木。
【請求項３】
前記面戸は、
前記凹部において軒側に設けられる軒側面戸と、前記軒側面戸よりも棟側に設けられる棟側面戸と、で構成されることを特徴とする請求項２記載の面戸付笠木。
【発明の詳細な説明】
【技術分野】
【０００１】
本発明は、屋根構造、面戸付笠木に関するものである。
【背景技術】
【０００２】
従来から、棟側端部の波形屋根瓦の上面に設けられるケミカル面戸が知られている（例えば特許文献１参照）。
【先行技術文献】
【特許文献】
【０００３】
【特許文献１】特開平８−２５３９８３号公報
【発明の概要】
【発明が解決しようとする課題】
【０００４】
上記したケミカル面戸は、軒棟方向と直交する方向に長尺であり、波形屋根瓦の上面と棟瓦との間に生じる隙間に嵌め込んで取付けられている。そして、ケミカル面戸の取付けの際、ケミカル面戸の下面と波形屋根瓦の間に接着剤を塗布して、波形屋根瓦に固定していた。
【０００５】
このケミカル面戸を、下方に開口し上方に突出する凸部と上方に開口し下方に凹む凹部とが軒に沿う方向に交互に形成された凹凸屋根材に用いて、凹凸屋根材の棟側端部の止水を行っていた。しかし、接着剤を夫々の凹凸屋根材の凸部と凹部に塗布し、所定の位置からずれないように凹凸屋根材とケミカル面戸とを接合する一連の作業は煩わしかった。
【０００６】
そこで、凸部と凹部の並設方向を長手方向とする面戸を固着具により凹凸屋根材に固定することが考えられる。この場合、面戸と凹凸屋根材との間に隙間が生じないようにするためには、凹凸屋根材の凸部毎に固着具を挿通させ、面戸を凹凸屋根材に固定することになる。しかし、凸部毎に固定するとなると、固着具の数が膨大となり、施工の工数が多いため、依然として多大な時間がかかってしまい煩わしくなる。
【０００７】
本発明は上記従来の問題点に鑑みて発明したものであって、その目的とするところは、施工現場で少ない工数で面戸を固定できる、面戸付笠木を提供することを課題とするものである。
【課題を解決するための手段】
【０００８】
上記課題を解決するために、本発明は、以下のような構成とする。
【０００９】
下方に開口し上方に突出する凸部と上方に開口し下方に凹む凹部とが軒に沿う方向に交互に形成された凹凸屋根材と、夫々の前記凹部に嵌合し、前記凹凸屋根材の軒側から棟側端部への雨水の浸入を抑制する面戸と、前記凹部と前記凸部の並設方向を長手方向とし、複数配設される前記面戸を連結し前記凸部上に載置される連結部と、前記凹部と前記凸部の並設方向を長手方向とし、前記連結部を介して前記凸部上に載置されて固定される笠木、とを備えてなることを特徴とする。
【００１０】
屋根構造に用いられる面戸付笠木であって、複数の前記凹部に夫々嵌合する前記面戸と、複数配設される前記面戸を連結する前記連結部と、前記連結部に取付けられる前記笠木と、を備えてなることを特徴とする。
【００１１】
また、前記面戸は、前記凹部において軒側に設けられる軒側面戸と、前記軒側面戸よりも棟側に設けられる棟側面戸と、で構成されることが好ましい。
【発明の効果】
【００１２】
本発明の面戸付笠木は、施工現場で少ない工数で面戸を固定できる。
【図面の簡単な説明】
【００１３】
【図１】第一の実施形態の面戸付笠木を凹凸屋根材に取付けたときの断面図である。
【図２】第一の実施形態の面戸付笠木の斜視図である。
【図３】第一の実施形態の面戸付笠木の側面図である。
【図４】第一の実施形態の面戸付笠木を凹凸屋根材に取付けたときの断面図である。
【図５】第二の実施形態の面戸付笠木の斜視図である。
【図６】第二の実施形態の面戸付笠木の側面図である。
【図７】第三の実施形態の面戸付笠木の分解斜視図である。
【図８】第三の実施形態の面戸付笠木の側面図である。
【図９】第四の実施形態の面戸付笠木の側面図である。
【発明を実施するための形態】
【００１４】
以下、本発明の第一の実施形態について図１乃至図４に基づいて説明する。
【００１５】
屋根の構造は、図１に示すように、切妻を有している。屋根勾配方向のうち、水上側は棟側として定義され、水下側は軒側として定義される。また、屋根勾配に直角な軒に沿った方向は、軒方向として定義される。なお、屋根は切妻屋根だけではなく、寄棟屋根であってもよく、特に限定されない。
【００１６】
屋根には、図１に示すように、凹凸屋根材２と、面戸付笠木１と、棟カバー３と、が備えられている。凹凸屋根材２は、屋根下地４上に葺設されている。屋根下地４は、棟から軒に向かって下り傾斜している。屋根下地４は、垂木（図示せず）と、野地板４１とを備えている。なお、屋根下地４は、垂木と野地板４１とを備えていなくてもよく、例えば、屋根下地４は、母屋と、母屋上に設置されたタイトフレームとを備えたものであってもよい。
【００１７】
凹凸屋根材２は、下方に開口し且つ上方に突出する凸部２１と、上方に開口し且つ下方に凹む凹部２２とを備えている。凸部２１と凹部２２は、軒方向に交互に形成されている。凹凸屋根材２は、平面視矩形状をしている。凹凸屋根材２は、軒方向に沿って複数配置される。
【００１８】
隣り合う凹凸屋根材２同士は、連結具（図示せず）を介して接続される。連結具は、例えば、ビスや釘などの固着具を介して野地板４１に固定されている。これにより凹凸屋根材２は、野地板４１に固定されている。また、連結具にはカバー部材が取り付けられる。カバー部材は、例えば、逆Ｕ字状をしている。カバー部材は、凹凸屋根材２の対向する端部、及び連結具を覆うようにして配置される。
【００１９】
凹凸屋根材２は、金属板により構成されており、より詳しくは、鋼板により構成されている。
【００２０】
次に本実施形態の面戸付笠木１について説明する。面戸付笠木１は、凹凸屋根材２の軒側から棟側端部へ雨水が浸入し、屋根下地４や凹凸屋根材２の頂部の隙間から家屋の内部へと雨水が浸入することを抑制するものである。図２に示すように、面戸付笠木１は、面戸１１と、連結部１３と、笠木１４と、を備えている。面戸付笠木１は図１に示すように、本実施形態では棟カバー３の内部に配設されている。
【００２１】
本実施形態では面戸１１は、軒方向に複数設けられている凹凸屋根材２の夫々の凹部２２の棟側端部の近傍に、一つずつ配設される。本実施形態では、面戸１１は正面視矩形状をしている。また、面戸１１は、凹部２２の下片２２ａと当接する面戸１１の下辺部１１ａと、凹部２２の対向する側片２２ｂに当接する面戸１１の対向する側辺部１１ｂと、を有している。そして、面戸１１には、下辺部１１ａと側辺部１１ｂから軒に向かって突出され且つ凹部２２に当接する突出部１２が設けられる。面戸１１を凹部２２に嵌め込むと、凹部２２の内面と突出部１２が当接する。すると、突出部１２と凹部２２の内面とが当接する際に生ずる摩擦により面戸１１が移動し難くなるので、面戸１１を凹部２２に強固に固定することができる。なお、本実施形態では、突出部１２が設けられているが、突出部１２が設けられていなくてもよい。
【００２２】
連結部１３は軒方向に複数配設されている面戸１１を連結し、凸部２１上に載置され、連結部１３は凹部２２と凸部２１の並設方向を長手方向とする。本実施形態では、連結部１３は平面視矩形状となっているが、連結部１３の形状は特に限定されない。なお、連結部１３と面戸１１とは本実施形態では、一体に設けられているが、別体でもよい。
【００２３】
笠木１４は、凹部２２と凸部２１の並設方向を長手方向とし、連結部１３に取付けられる。そして、笠木１４は連結部１３を介して凸部２１上に載置される。本実施形態では、笠木１４は角柱の木材となっているが、金属性でもよく、材質は特に限定されないが、剛性を有するものであることを要する。
【００２４】
棟カバー３は、図１に示すように、凹凸屋根材２の棟側の端部を覆う。棟カバー３は、凹凸屋根材２の棟側の端部と面戸付笠木１と、を軒方向の略全長に亙って覆う。棟カバー３は、凹凸屋根材２の軒方向の全長に亙って一体となっていてもよいし、複数の棟カバー３が軒方向に連結されたものであってもよい。棟カバー３は、例えば、金属板を曲げ加工することで形成される。
【００２５】
棟カバー３は、図１に示すように、覆い部３１と前面部３２とを備える。覆い部３１は、凹凸屋根材２の頂面と略平行となる。前面部３２は、軒側に臨む面であり、覆い部３１の軒側端部から垂下し、凹凸屋根材２の頂面に対し略直角となる。
【００２６】
上記した構成の面戸付笠木１は、図３に示すように、連結部１３に笠木１４が固着具を用いて固定されることにより形成される。このとき、笠木１４は剛性を有しており、曲がったり撓んだりしないので、連結部１３に笠木１４を取付けることで連結部１３が曲がったり撓んだりしなくなる。これにより、連結部１３に笠木１４を取付ける際に、連結部１３の面戸１１が設けられている部分全てに固着具で連結部１３と笠木１４を固定する必要がなくなる。そこで、図４に示すように、本実施形態では、固着具は例えば連結部１３の一つ置き（約３００ｍｍ〜４００ｍｍ）の面戸１１の部分に取付ければ良い。
【００２７】
上記のように形成された面戸付笠木１を、面戸１１が凹凸屋根材２の凹部２２に嵌まり込むように取付ける。このとき、剛性を有する笠木１４が取付けられているので、凹部２２と凸部２１の並設方向に長い面戸付笠木１が曲がったり、撓んだりしない。そのため、面戸付笠木１の面戸１１は、凹凸屋根材２の凹部２２内に傾いて嵌め込まれることがなくなる。そして、面戸付笠木１の面戸１１が凹凸屋根材２に嵌め込まれた後、面戸付笠木１は屋根下地４に固着具を用いて固定される。本実施形態では、剛性を有する笠木１４が取付けられているので、凹部２２と凸部２１の並設方向に長い面戸付笠木１が曲がったり、撓んだりしない。そこで、凸部２１毎に固着具を用いて面戸付笠木１を凹凸屋根材２に固定する必要は無く、図４に示すように、例えば一つ置き（約３００ｍｍ〜４００ｍｍ）の凸部２１に固着具が取付けられればよい。そして、面戸付笠木１が凹凸屋根材２に固定された後、凹凸屋根材２の頂部に棟カバー３が被せられて施工は完了する。
【００２８】
以上より、剛性を有する笠木１４が面戸１１を有する連結部１３に取付けられることにより、凹部２２と凸部２１の並設方向に長い面戸付笠木１が撓んだり曲がったりし難くなる。すると、凹凸屋根材２の凹部２２内に面戸付笠木１の面戸１１が傾いて嵌め込まれることを無くすことができる。そして、面戸付笠木１が撓んだり曲がったりし難いので、面戸付笠木１は固着具で凸部２１毎に固定される必要がなくなり、施工現場で少ない工数で凹凸屋根材２に面戸付笠木１を固定することができる。
【００２９】
次に、第二の実施形態について図５及び図６に基づいて説明する。第二の実施形態は、第一の実施形態の変形例であり、第一の実施形態と同じ部分については同符号を付して説明を省略する。
【００３０】
本実施形態では、図５に示すように、棟側面戸１１ｃと、軒側面戸１１ｄと、が設けられる。棟側面戸１１ｃは、連結部１３から下方に突設し凹凸屋根材２の軒側から棟側端部への雨水の浸入を抑制する。軒側面戸１１ｄは、棟側面戸１１ｃよりも軒側に設けられ棟側面戸１１ｃへと向かう雨水を減少させる。棟側面戸１１ｃは突出部１２を備えている。軒側面戸１１ｄは、本実施形態では、連結部１３の軒側端部に設けられているが、軒側面戸１１ｄが設けられる場所は特に限定されない。面戸１１を二重にすることにより、棟側面戸１１ｃと軒側面戸１１ｄは、凹凸屋根材２の軒側から棟側端部へと向かう雨水を止水することができる。
【００３１】
次に、第三の実施形態について図７及び図８に基づいて説明する。第三の実施形態は、第一の実施形態及び第二の実施形態の変形例であり、第一の実施形態及び第二の実施形態と同じ部分については同符号を付して説明を省略する。
【００３２】
連結部１３で面戸１１が取付けられていない部分は、凹凸屋根材２の凸部２１と面戸付笠木１とが固着具により接合される接合部１３ｃとなっている。接合部１３ｃの連結部１３の短手方向の両端部には、上方に向けて突設される立ち上がり部１３ａが設けられている。立ち上がり部１３ａは、接合部１３ｃ毎に複数設けられており、笠木１４を連結部１３に取付ける際の位置決めを容易に行うことができる。また、連結部１３が連結部１３の短手方向に折り曲げられる力に対して、立ち上がり部１３ａが無い場合と比べて強度を向上させることができる。
【００３３】
次に、第四の実施形態について図９に基づいて説明する。第四の実施形態は、第一の実施形態乃至第三の実施形態の変形例であり、第一の実施形態乃至第三の実施形態と同じ部分については同符号を付して説明を省略する。
【００３４】
本実施形態では、図９に示すように、連結部１３と笠木１４とを固定する固着具の両脇に補強リブ１３ｂが二条、連結部１３の長手方向に亘って設けられている。補強リブ１３ｂは、連結部１３から下方に突出し、側面視円弧状となっているが、補強リブ１３ｂの形状は限定されない。補強リブ１３ｂが設けられることにより、連結部１３の長手方向の剛性が向上し、連結部１３を笠木１４に固定するときに連結部１３の変形を生じ難くすることができる。
【符号の説明】
【００３５】
１    面戸付笠木
１１  面戸
１１ａ  下辺部
１１ｂ  側辺部
１１ｃ  棟側面戸
１１ｄ  軒側面戸
１２  突出部
１３  連結部
１３ａ  立ち上がり部
１３ｂ  補強リブ
１３ｃ  接合部
１４  笠木
２    凹凸屋根材
３    棟カバー
４    屋根下地
【図１】
2014198953.tif 000003
【図２】
2014198953.tif 000004
【図３】
2014198953.tif 000005
【図４】
2014198953.tif 000006
【図５】
2014198953.tif 000007
【図６】
2014198953.tif 000008
【図７】
2014198953.tif 000009
【図８】
2014198953.tif 000010
【図９】
2014198953.tif 000011